(57)【要約】      （修正有）【課題】便器のリムの裏側のように、使用者から見えない、あるいは見え難い領域であっても、容易に且つ確実に薬剤を塗布することができる薬剤容器を提供する。【解決手段】薬剤容器は、液状薬剤を収容し、一端部に筒状の口部１１を有し、押圧可能な可撓性を有する容器本体と１、前記容器本体の口部に取り付けられ、前記容器本体が押圧されることにより前記液状薬剤を吐出させる吐出孔２３１を有する蓋部材２と、前記容器本体に取り付けられ、前記吐出孔の吐出方向を向く鏡面を有する鏡面部材３と、を備えている。【選択図】図２
2014069859.tif 000002
【特許請求の範囲】
【請求項１】
液状薬剤を収容し、一端部に筒状の口部を有し、押圧可能な可撓性を有する容器本体と、
前記容器本体の口部に取り付けられ、前記容器本体が押圧されることにより前記液状薬剤を吐出させる吐出孔を有する蓋部材と、
前記容器本体に取り付けられ、前記吐出孔の吐出方向を向く鏡面を有する鏡面部材と、
を備えている、薬剤容器。
【請求項２】
前記吐出孔の吐出方向が、前記口部の軸線と交差する、請求項１に記載の薬剤容器。
【請求項３】
前記吐出孔の吐出方向と、前記鏡面を直交する仮想線とが略平行となるように構成されている、請求項１または２に記載の薬剤容器。
【請求項４】
前記吐出孔の吐出方向と、前記鏡面を直交する仮想線とが交差するように構成されている、請求項１または２に記載の薬剤容器。
【請求項５】
前記容器本体には平坦面を有する取付部が形成されており、当該取付部の平坦面に前記鏡面部材が取り付けられる、請求項１から４のいずれかに記載の薬剤容器。
【請求項６】
前記容器本体には、前記鏡面部材が取り付けられる取付面を有する取付部が形成されており、前記取付面は曲面により形成されている、請求項１から４のいずれかに記載の薬剤容器。
【請求項７】
前記取付部の周縁に、当該周縁に沿って延びるリブが形成されている請求項５または６に記載の薬剤容器。
【請求項８】
前記容器本体において、前記吐出孔が設けられた側の側面には、前記鏡面部材が設けられる第１傾斜面と、当該第１傾斜面を挟んで前記口部の軸線方向に前記蓋部材とは反対側に配置された第２傾斜面と、が設けられ、
前記第１傾斜面は、前記蓋部材から離れるにしたがって、前記軸線から離れるように傾斜し、
前記第２傾斜面は、前記第１傾斜面と連続し、前記蓋部材から離れるにしたがって、前記軸線に近接するように傾斜する、請求項１から７のいずれかに記載の薬剤容器。
【発明の詳細な説明】
【技術分野】
【０００１】
本発明は、液状の薬剤等が収容された容器の外面を押圧することによって当該薬剤をノズルから噴射する、所謂スクイズボトルと呼ばれる薬剤容器に関するものである。
【背景技術】
【０００２】
従来より、スクイズボトルと呼ばれる種々の容器が提案されている。スクイズボトルとは、一般的に液状の薬剤を収容する可撓性のある容器であり、その外面を押圧することで、容器の内圧を増大し、内部に収容された薬剤をノズルから噴射することのできる容器をいう。このようなスクイズボトルとしては、例えば、特許文献１及び特許文献２に開示されているように、トイレの便器のリムの裏側等、構造上狭い部分に薬剤を噴射するものがある。特許文献１には、容器の頸部の長さと径を規定すると共に容器を押圧した後の復元速度を規定することによって、リムの裏側のような狭い部分を洗浄する際に薬剤を噴射しやすくする容器が開示されている。また、特許文献２には押圧すべき容器の膨出面に稜線部を設け、この稜線部を所定の位置に形成することによって、膨出面を握りやすくし、これによって、リムの裏側にも容易に且つ的確に薬剤を噴射できる容器が開示されている。
【先行技術文献】
【特許文献】
【０００３】
【特許文献１】特開２００５−９６８３９号公報
【特許文献２】特開２０１２−６２０６５号公報
【発明の概要】
【発明が解決しようとする課題】
【０００４】
しかしながら、リムの裏側のように対象領域が見え難い場合には、使用者が身をかがめて対象領域をのぞき込むか、あるいは手鏡などを使用して対象領域を確認するしかなく、このような煩雑な作業をしなくては、薬剤を対象領域に的確に塗布することができなかった。このように清掃すべき対象領域が見え難い場合、実際にその領域が汚れているのか、噴射した薬剤がその領域に塗布されているのか、あるいはブラシ等での清掃後にその領域の汚れが除去されているのかを容易に確認することができない。
【０００５】
本発明は、上記問題を解決するためになされたものであり、便器のリムの裏側のように、使用者から見えない、あるいは見え難い領域であっても、容易に且つ確実に薬剤を塗布することができる薬剤容器を提供することを目的とする。
【課題を解決するための手段】
【０００６】
本発明に係る薬剤容器は、液状薬剤を収容し、一端部に筒状の口部を有し、押圧可能な可撓性を有する容器本体と、前記容器本体の口部に取り付けられ、前記容器本体が押圧されることにより前記液状薬剤を吐出させる吐出孔を有する蓋部材と、前記容器本体に取り付けられ、前記吐出孔の吐出方向を向く鏡面を有する鏡面部材と、を備えている。
【０００７】
この構成によれば、容器本体に、薬剤を吐出する吐出孔の吐出方向を向く鏡面が設けられているため、便器のリムの裏側のように、見え難い領域であっても、鏡面によって、その領域を映し出すことができる。したがって、使用者が身をかがめてのぞき込んだり、手鏡を使用することなく、見え難い領域を鏡面で確認した上で、又は鏡面で確認しながら薬剤を噴射することができる。その結果、対象領域の汚れの確認、薬剤の塗布の確認、及び汚れの除去の確認を容易に且つ確実に行うことができる。なお、「吐出方向を向く」とは厳密に吐出方向と鏡面とが直交している必要はなく、少なくとも吐出方向と鏡面とが平行でなければよい。
【０００８】
上記薬剤容器においては、吐出孔の吐出方向を、口部の軸線と交差させることができる。このようにすると、使用時において容器本体の挿入方向から角度を付けて薬剤を吐出できるため、リムの裏側などに容易に薬剤を塗布することができる。
【０００９】
上記薬剤容器においては、前記吐出孔の吐出方向と、前記鏡面を直交する仮想線とが略平行となるように構成することができる。このようにすると、鏡面が吐出孔の吐出方向と同じ方向を向くため、対象領域に吐出孔を向ける位置決め動作と、鏡面に対象領域を映し出す確認動作とを、吐出孔及び鏡面の角度を変えることなく一連の動きで行うことができる。したがって、清掃作業を効率的に行うことができる。なお、吐出方向と仮想線とは、必ずしも厳密な平行でなくてもよく、例えば、５度程度のずれであれば許容できる。
【００１０】
あるいは、上記薬剤容器においては、前記吐出孔の吐出方向と、前記鏡面を直交する仮想線とが交差するように構成することができる。このようにすると、吐出孔の吐出方向と、鏡面を直交する仮想線との交差部分に対象領域が位置すると、対象領域を鏡面に映しながら、薬剤を噴射することができる。したがって、対象領域への薬剤の塗布をさらに確実に行うことができる。
【００１１】
上記薬剤容器においては、容器本体に平坦面を有する取付部を形成し、この平坦面に鏡面部材を取り付けるように構成することができる。このように、鏡面部材を平坦面を有する取付部に取り付けると、鏡面部材の取り付け状態が安定し、鏡面が平坦になるため、対象領域を確実に映し出すことができる。
【００１２】
あるいは、上記薬剤容器においては、前記容器本体に前記鏡面部材が取り付けられる取付面を有する取付部を形成し、前記取付面を曲面により形成することができる。鏡面が吐出方向を向く限りは、曲面の形状は特は限定されないが、例えば、取付面が容器本体の口部の軸線に対して凸となるように湾曲させることができる。このようにすると、容器の内部が減圧したときに、取付面が容器本体の内側に向かって収縮するのを防止することができる。
【００１３】
上記取付部の周縁には、この周縁に沿って延びるリブを形成することができる。このようにリブを形成すると、取付部の強度が向上するため、容器本体を押圧しても取付部が変形するのを防止することができる。したがって、鏡面が変形して対象領域を確認し難くなるのを防止することができる。
【００１４】
上記薬剤容器では、前記容器本体において、吐出孔が設けられた側と同じ側面には、鏡面部材が設けられる第１傾斜面と、この第１傾斜面を挟んで前記軸線方向に前記蓋部材とは反対側に配置された第２傾斜面と、を設けることができる。そして、第１傾斜面を、蓋部材から離れるにしたがって、前記軸線から離れるように傾斜させ、第２傾斜面を、第１傾斜面と連続し、蓋部材から離れるにしたがって、前記軸線に近接するように傾斜させることができる。
【００１５】
この構成によれば、鏡面部材が設けられた第１の傾斜面と連続する第２の傾斜面を、蓋部材から離れるにしたがって、軸線に近接するように傾斜するように構成している。そのため、蓋部材とは反対側から鏡面を見たとき、容器本体が鏡面への視線を阻害することなく、鏡面を見ることができる。したがって、鏡面を確実に見ながら、洗浄操作を行うことができる。
【発明の効果】
【００１６】
本発明に係る薬剤容器によれば、便器のリムの裏側のように、使用者から見えない、あるいは見え難い領域であっても、容易に且つ確実に薬剤を塗布することができる。
【図面の簡単な説明】
【００１７】
【図１】本発明の一実施形態に係る薬剤容器の正面図である。
【図２】図１の側面図である。
【図３】図１のＡ−Ａ線断面図である。
【図４】図２のＢ−Ｂ線断面図である。
【図５】図１の薬剤容器の使用方法を示す図である。
【図６】図１の薬剤容器の他の例を示す側面図である。
【図７】本発明の薬剤容器の他の例を示す側面図である。
【図８】本発明の薬剤容器の他の例を示す断面図である。
【図９】本発明の薬剤容器の他の例を示す側面図である。
【図１０】本発明の薬剤容器の他の例を示す側面図である。
【発明を実施するための形態】
【００１８】
以下、本発明に係る薬剤容器の一実施形態について、図面を参照しつつ説明する。図１はこの薬剤容器の正面図、図２は図１の側面図、図３は図１のＡ−Ａ線断面図、図４は図２のＢ−Ｂ線断面図である。
【００１９】
図１〜図４に示すように、この薬剤容器は、上端部に口部１１を有する容器本体１と、口部１１を閉じる蓋部材２を備えている。容器本体１は、可撓性のある材料で形成されており、例えば、ポリエチレン、ポリエチレンテレフタレート、ポリプロピレン、塩化ビニル、またはこれらの混合材料などをブロー成型することによって形成できる。容器本体１に収容される薬剤は特には限定されないが、例えば、トイレ用液状洗剤としては、非イオン界面活性剤、陰イオン界面活性剤、陽イオン界面活性剤、両性界面活性剤、又はこれらを混合したものが挙げられる。なお、必要に応じて溶剤、安定剤、ゲル化剤等を混合しても良い。又、本発明における薬剤はトイレ用に限定されるものではなく、浴室、配管の洗浄などに用いられる液状洗剤であっても良い。更には、洗剤の用途に限らず、例えば機械部品同士を円滑に作動させるための機械油など、見え難い対象領域に対して容易に的確に液体を噴出するための用途であれば、他の液体であっても同様に適用することができる。
【００２０】
なお、特にトイレのリム裏等、対象領域が特定の部材の下面に位置する場合には、薬剤を対象領域に塗布した後、薬剤が対象領域から滴下するのを防止するために、薬剤の粘度を所定の範囲に規定するのが好ましい。薬剤の粘度としては、単一円筒型回転（Ｂ型）粘度計（ＴＶＢ−１０Ｍ；東機産業株式会社製）を用いて、ローターＮｏ：Ｍ２、回転数：３０ｒｐｍ、３０秒間回転後の条件で測定される粘度において、１０〜１０００ｍＰａ・ｓが好ましく、２００〜６００ｍＰａ・ｓが更に好ましい。
【００２１】
容器本体１は、薬剤が収容される断面矩形状の胴部１２と、その上端に一体的に形成された円筒状の口部１１とで構成されている。胴部１２は、口部１１の軸線Ｘに沿って延びる直方体状に形成されており、矩形状の底面１２１と、この底面１２１から上方に延びる４つの下部側面、つまり第１〜第４下部側面１２２１〜１２２４を有している。第１及び第３下部側面１２２１，１２２３は、底面１２１の短辺から延びる側面であり、互いに対向している。一方、第２及び第４下部側面１２２２，１２２４は、底面１２１の長辺から延びる側面であり、互いに対向している。図２に示すように、第１下部側面１２２１は、軸線Ｘ側に若干凸となるように湾曲しており、特に、上部において、上方にいくにしたがって軸線から離れるような傾斜面Ｓ１（第２傾斜面）を有している。一方、第３下部側面１２２３も、軸線Ｘ側に凸となるように湾曲しているが、第１下部側面１２２１に比べて湾曲の度合いは小さく、上端部の傾斜も小さい。第２及び第４下部側面１２２２，１２２４は、第１及び第３下部側面１２２１，１２２３を連結するものであり、図４に示すように、これに伴って断面形状は外部に向かって凸となるように若干湾曲している。このように、第２及び第４下部側面１２２２，１２２４は、第１及び第３下部側面１２２１，１２２３に比べて面積が大きく、また外側にやや膨出しており、この部分を押圧することで、容器本体１内の内圧を増大させ、後述するように、薬剤を吐出するようになっている。
【００２２】
上記第１〜第４下部側面１２２１〜１２２４の上端には、それぞれ第１〜第４上部側面１２３１〜１２３４が連続的に形成されている。図２に示すように、第１上部側面１２３１は、第１下部側面１２２１から連続して上方に延びているが、上方にいくにしたがって軸線Ｘに近接するように傾斜し、この傾斜面Ｓ２（第１傾斜面）には後述する鏡面部材３が取り付けられる取付部１２５が形成されている。第３上部側面１２３３は、第３下部側面１２２３から連続して上方に延びており、上方にいくにしたがって若干軸線Ｘに近接するように傾斜している。第２及び第４上部側面１２３２，１２３４は、それぞれ第２及び第４下部側面１２２２，１２２４と連続し、第１及び第３上部側面１２３１，１２３３を連結するものである。これら第２及び第４上部側面１２３２，１２３４は、第１及び第３上部側面１２３１，１２３３の傾斜に対応するように、側面視が台形状に形成されている。
【００２３】
ここで、取付部１２５について、詳細に説明する。図１に示すように、取付部１２５は第１上部側面１２３１の傾斜面Ｓ２に形成されており、矩形状の平坦面と、この周縁に形成されたリブ１２５１とで構成されている。そして、平坦面には、矩形シート状の鏡面部材３が取り付けられており、吐出孔２３１の吐出方向Ｙ１を向いている。鏡面部材３は、表面に鏡面を有しており、裏面が接着剤などによって平坦面に貼り付けられている。平坦面の軸線Ｘに対する傾斜角αは、特には限定されないが、５〜６０度が好ましく、１０〜３０度が更に好ましい。
【００２４】
図３に示すように、第１〜第４上部側面１２３１〜１２３４の上端には、円筒状の口部１１が連続して形成されている。口部１１の外周面には雄ねじが形成されており、この雄ねじに、蓋部材２が取り付けられる。
【００２５】
次に、蓋部材２について説明する。蓋部材２は、ポリエチレン等の材料で形成されている。なお、蓋部材２の材料は容器本体１と同様の材料で形成することもできる。そして、蓋部材２は、口部１１に取り付けられる円筒状の大径部２１と、この大径部２１の上部に一体的に形成された小径部２２とを有している。さらに、小径部２２の上部には、吐出孔２３１が形成されたノズル２３が一体的に設けられている。大径部２１の内壁面には、口部１１の雄ねじに螺合する雌ねじが形成されている。また、小径部２２の外周面には、雄ねじが形成されており、図示を省略するキャップを取り付けることで、容器本体１に収容された薬剤の漏出を防止すると共に、ノズル２３を保護することができる。ノズル２３の側面には、吐出孔２３１が形成されており、蓋部材２を口部１１に取り付けたときに、吐出孔２３１が第１上部側面１２３１及び第１下部側面１２２１と同じ側を向くように構成されている。また、吐出孔２３１の吐出方向Ｙ１は、軸線Ｘから傾斜するように延びており、図２に示すように、鏡面３と直交する仮想線Ｙ２と略平行となっている。蓋部材２は、大径部２１、小径部２２、及びノズル２３が一体となった中空に形成されており、容器本体１に収容された薬剤は口部１１から大径部２１、小径部２２、及びノズル２３を介して吐出孔２３１から吐出されるようになっている。
【００２６】
次に、上記のように構成された薬剤容器の使用方法について、図５を参照しつつ説明する。ここでは、便器のリムＲの裏側に薬剤を塗布する場合について説明する。図５に示すように、使用者は、まず、第１下部側面１２２１が上方を向くようにして、第２及び第４下部側面１２２２，１２２４を下側又は上側から親指及び人差し指で掴む。このとき、吐出孔２３１は上方を向いており、この状態で、ノズル２３をリムＲの裏側に近づける。そして、容器の角度を調整しつつ、鏡面３にリムＲの裏側を映し出して薬剤を噴射する対象領域を確認する。このとき、吐出孔２３１の吐出方向Ｙ１と、鏡面を直交する仮想線Ｙ２とはほぼ平行となっているため、鏡面３は吐出孔２３１の吐出方向と同じ方向を向く。そのため、対象領域に吐出孔２３１を向ける位置決め動作と、鏡面に対象領域を映し出す確認動作とを、吐出孔２３１及び鏡面３の角度を変えることなく一連の動きで行うことができる。
【００２７】
こうして、汚れがある領域を特定した上で、親指及び人差し指で第２及び第４下部側面１２２２，１２２４を押圧すると、容器本体１の内圧が増大する。これにより、薬剤が容器本体１から押し出され、蓋部材２の吐出孔２３１から噴射されて対象領域に塗布される。このとき、使用者は、鏡面３により、薬剤が対象領域に正しく塗布されたか否かを確認することができる。また、所定時間経過後、或いはブラシ等で掃除した後、鏡面３を用いて対象領域の汚れが除去されたか否かを容易に確認することもできる。
【００２８】
以上のように、本実施形態によれば、容器本体１において、薬剤を吐出する吐出孔２３１と同じ側に鏡面３が設けられているため、便器のリムＲの裏側のように、見え難い領域であっても、鏡面３によって、その領域を映し出すことができる。したがって、使用者が身をかがめてのぞき込んだり、手鏡を使用することなく、見え難い領域を鏡面で確認した上で、又は鏡面で確認しながら薬剤を噴射することができる。その結果、対象領域の汚れの確認、薬剤の塗布の確認、及び汚れの除去の確認を確実に行うことができる。
【００２９】
また、第１下部側面１２２１は、第１上部側面１２３１との境界から軸線Ｘに近づくように傾斜しているため、底面１２１側から取付部１２５の鏡面３を見たとき、第１下部側面１２２１が鏡面３への視線を阻害することなく、鏡面３を見ることができる。したがって、鏡面３を確実に見ながら、洗浄操作を行うことができる。
【００３０】
以上、本発明の一実施形態について説明したが、本発明は上記実施形態に限定されるものではなく、その趣旨を逸脱しない限りにおいて、種々の変更が可能である。例えば、上記実施形態では、吐出孔２３１の吐出方向Ｙ１と、鏡面３を直交する仮想線Ｙ２とが略平行となるようにしているが、図６に示すように、これらが交差するように構成することができる。このようにすると、吐出孔２３１の吐出方向Ｙ１と、鏡面３を直交する仮想線Ｙ２との交差部分Ｚに対象領域が位置すると、対象部分を鏡面３に映しながら、薬剤を噴射することができる。したがって、対象領域への薬剤の塗布をさらに確実に行うことができる。
【００３１】
また、上記実施形態では、断面矩形状の容器本体１について説明したが、容器本体１や蓋部材２の形状は、薬剤を排出できるように押圧可能であり、少なくとも鏡面が吐出孔２３１の吐出方向を向いていれば、特には限定されない。例えば、図７に示すように、吐出孔２３１の吐出方向Ｙ１と口部１１の軸線方向Ｘとを一致させるとともに、容器本体１を中間部で屈曲させ、屈曲部分から底面１２側へ向かう第１下部側面１２２１の傾斜面に鏡面部材３を配置することができる。鏡面部材３が吐出方向Ｙ１を向いていれば、これ以外の形状ももちろん可能である。
【００３２】
上記実施形態では、取付部１２５を平坦にしているが、これを湾曲させてもよい。例えば、図８に示すように、取付部１２５に軸線Ｘ周りに凸となるような取付面を形成することもできる。このようにすると、容器の内部が減圧したときに、取付面が容器本体の内側に向かって収縮するのを防止することができるため、鏡面部３の取付状態が更に安定する。なお、このような凸面を形成するための曲率半径は、使用者が鏡面３に映し出される対象領域を視認できる程度であれば特に限定されないが、例えば曲率半径は１５０ｍｍ〜２５０ｍｍ程度とするのが好ましい。但し、曲率半径がこれよりも小さくてもよく、このようにすると、鏡面３に映し出される範囲が広くなるため、鏡面３を介して見える視野が大きくなるという利点がある。
【００３３】
このほか、図９に示すように、軸線方向Ｘに沿って鏡面３を凹状に湾曲させたり、図１０に示すように、軸線方向Ｘに沿って鏡面３を凸状に湾曲させることもできる。このように、鏡面３は平面を湾曲させた形状のほか、三次元的な球面状など種々の曲面にすることができる。
【００３４】
また、鏡面部材３は、シート状でなくてもよく、板状の鏡面部材３を取付部１２５に取り付けてもよく、鏡面としての機能を果たすものであれば、他の構成のものであっても良い。更に、鏡面部材３は、矩形シート状でなくてもよく、例えば丸形状、楕円形状、三角形状などであっても良い。
【００３５】
上記実施形態では、鏡面部材３を容器本体１の側面に固定しているが、鏡面部材３を容器本体１に対し着脱自在に取り付けるように構成してもよい。このとき、その鏡面が吐出孔２３１の吐出方向Ｙ１を向く限りは、鏡面部材３を容器本体１の任意の位置に取り付けるようにすることもできる。また、例えば、鏡面部材３が蓋部材２に引っ掛けられるなどして本発明の薬剤容器に取り付けられる場合であっても、鏡面部材３が容器本体１に接触したり、あるいは容器本体１の一部を覆うような位置にある限り、鏡面部材３は容器本体１に取り付けられたものとする。
【符号の説明】
【００３６】
１  容器本体
１１  口部
１２５  取付部
１２５１  リブ
２  蓋部材
２３１  吐出孔
３  鏡面部材
Ｓ１  傾斜面（第２傾斜面）
Ｓ２  傾斜面（第１傾斜面）
【図１】
2014069859.tif 000003
【図２】
2014069859.tif 000004
【図３】
2014069859.tif 000005
【図４】
2014069859.tif 000006
【図５】
2014069859.tif 000007
【図６】
2014069859.tif 000008
【図７】
2014069859.tif 000009
【図８】
2014069859.tif 000010
【図９】
2014069859.tif 000011
【図１０】
2014069859.tif 000012